(57)【要約】      （修正有）【課題】椅子への着座時に腰痛の予防ないし軽減を図ると共に、着座したとき腰部を安定化させることのできる腰痛予防並びに軽減用の補助具を提供する。【解決手段】腰部から腹部にかけて装着するコルセット８と、当該コルセットを装着した使用者が着座する椅子１とからなる。コルセット８は、縦方向に並置されたプラスチック製補強プレート８が内蔵され、後部には金属薄板製の腰部保持用プレート１０を添設し、該プレート１０の上部を折り曲げて前記椅子の背もたれに掛止めるフック１０ａを形成させてなる。椅子の後脚部３に、使用者の座高に応じて背もたれ高さを調節する手段１１を設ける。椅子１の前寄りに使用者の膝裏付近を支持する前部クッション６を設け、フック部を椅子の背もたれに掛けて使用者の腰部を安定化させたうえ、前部クッション７によって膝裏付近を弾力的に支持することにより、腰部にかかる負担を軽減させる。【選択図】図１
2010158282.tif 000002
【特許請求の範囲】
【請求項１】
使用者の腰部から腹部にかけて装着するコルセットと、当該コルセットを装着した使用者が着座する椅子とからなり、前記コルセットは、縦方向に並置されたプラスチック製補強材が内蔵され、かつ前部ほぼ中央に締め付けバンド付の前開き部を有し、後部には金属薄板製のプレートを添設し、該プレートの上部を折り曲げて前記椅子の背もたれに掛止めるフック部を形成させたことを特徴とする腰痛予防軽減用の補助具。
【請求項２】
前記背もたれ両端から下方に伸びる椅子の後脚部に、使用者の座高に応じて背もたれ高さを調節する調節部を設けた請求項１に記載の腰痛予防軽減用の補助具。
【請求項３】
前記椅子の前寄りに使用者の膝裏付近を支持する前部クッションを設け、前記フックを椅子の背もたれに掛けて腰部を安定化させたうえ、前部クッションによって膝裏付近を弾力的に支持することにより、腰部にかかる負担を軽減させると共に腰痛の予防を図るようにした請求項１または２に記載の腰痛予防軽減用の補助具。
【発明の詳細な説明】
【技術分野】
【０００１】
本発明は腰痛予防並びに軽減用の補助具にかかるもので、特に、椅子への着座時に使用者が着用した補助具後部のフックを椅子の背もたれに掛止めることにより、着座したとき腰部を安定化させて腰痛の予防ないし軽減を図るようにした補助具に関する。
【背景技術】
【０００２】
現代人にとって腰痛対策は急務であり、多くの人が腰痛に悩まされており、しかも、腰痛を抱えながら仕事をせざるを得ない現状において、作業中、執務中、あるいは日常の生活の中で腰痛予防や治療が行えれば便利である。このような装置として椅子、シート又は座用構造物において、背もたれ中央部に縦状凸形状を形成させてクッション付椅子としたもの（特許文献１）や、腹部に巻付けられるベルトと、該ベルトが取付けられ、下端が椅子の座面に着座される突つ張り部材とを備え、使用者が前記椅子に着座したとき、突つ張り部材により前記ベルトを介して使用者の腹部を持ち上げるようにした腰痛予防軽減装置（特許文献２）が提案されている。
【先行技術文献】
【特許文献】
【０００３】
【特許文献１】特開２００３−７９４７７号（第２頁右欄４から１７行、図３）。
【特許文献２】特開２０００６−１８７５７４号（第４頁３２行から第５頁１１行、図１、図２）。
【発明の概要】
【発明が解決しようとする課題】
【０００４】
上記の点に鑑み、本発明は、コルセットを着用して日常の腰痛を和らげると共に、着座時にコルセット後部を椅子の背もたれに掛止めることによって腰部の安定化を図って腰痛を予防軽減しうる補助具を提供するものである。
【課題を解決するための手段】
【０００５】
上記課題を解決するため本発明の請求項１は、使用者の腰部から腹部にかけて装着するコルセットと、当該コルセットを装着した使用者が着座する椅子とからなり、前記コルセットは、縦方向に並置されたプラスチック製補強材が内蔵され、かつ前部ほぼ中央に締め付けバンド付の前開き部を有し、後部には金属薄板製のプレートを添設し、該プレートの上部を折り曲げて前記椅子の背もたれに掛止めるフック部を形成させたことを特徴とする腰痛予防軽減用の補助具である。請求項２は、前記背もたれ両端から下方に伸びる椅子の後脚部に、使用者の座高に応じて背もたれ高さを調節する調節部を設けてなる請求項１に記載の腰痛予防軽減用の補助具である。請求項３は、前記椅子の前寄りに使用者の膝裏付近を支持する前部クッションを設け、前記フックを椅子の背もたれに掛けて腰部を安定化させたうえ、前部クッションによって膝裏付近を弾力的に支持することにより、腰部にかかる負担を軽減させると共に腰痛の予防を図るようにしたことを特徴とする請求項１または２に記載の腰痛予防軽減用の補助具である。
【発明の効果】
【０００６】
使用者の腰部に装着するコルセットの背面に平面ファスナーの一方のフック状起毛側またはループ状起毛側を添着し、椅子の背もたれに前記面ファスナーの他方のループ状起毛側またはフック状起毛側を設けて、着座時に使用者の腰部を安定化させると共に腰痛の予防を図るようにした腰痛予防軽減用の補助具である。
上記のように、本発明は腰痛予防並びに軽減用の補助具にかかるもので、特に、椅子への着座時に腰痛の予防ないし軽減を図ると共に、着座したとき腰部を安定化させることのできる補助具として有用なものである。
腰部椎間板ヘルニア、坐骨神経痛、ぎっくり腰等の症状の出始め、治療中、リハビリ中は、日常生活において食事、排便、排尿、リビングの床に座る等のことが辛く困難であるが、本発明腰痛予防兼軽減用の補助具を使用することによって、例えば、食事、排便、排尿、リビング床に座る等のことが容易になるほか、リビングソファー、自動車の運転、デスクワークを支障なく行うことができるほか、病院、公共施設の待合椅子や車椅子と併用することが可能である。特に、自宅で椅子へ着座する際に腰痛の予防ないし軽減を図ると共に、着座したとき腰部を安定化させることができるため、日常生活に支障をきたす、中、重度の腰痛者や腰痛が原因で休職中の人達の社会復帰のために有益なものである。
【図面の簡単な説明】
【０００７】
【図１】本発明腰痛予防軽減用補助具の使用状態の側面図。
【図２】図１の背面図。
【図３】図１の斜め後方から見た背面図。
【図４】コルセット上縁のフックを椅子の背もたれにかけた状態の拡大背面図。
【図５】コルセットの拡大斜視図。
【図６】腰痛者が本案椅子に掛けたときの荷重の負担状態を示す側面図。
【発明を実施するための形態】
【０００８】
図１は、本発明腰痛予防兼軽減用の補助具の使用状態の正面図、図２は図１の側面図、図３は本発明におけるコルセットの斜視図である。  
図示のように、使用者の腰部から腹部にかけて装着するコルセット７と、当該コルセットを装着した使用者が着座する椅子１とからなる。コルセット７は、縦方向に並置されたプラスチック製補強プレート８が内蔵され、かつ前部ほぼ中央に締め付けバンド付の前開き部１４を有し、後部には金属薄板製の腰部保持用プレート９を添設し、該プレート９の上部を折り曲げて前記椅子の背もたれ４に掛止めるフック部１０ａを形成させてなる腰痛予防軽減用の補助具である。背もたれ４の両端から下方に伸びる椅子の後脚部３に、使用者の座高に応じて背もたれ高さを調節する手段１１を設けている。また、椅子１の前寄りに使用者の膝裏付近を支持する前部クッション６を設け、フック部９ａを椅子の背もたれ４に掛けて使用者の腰部を安定化させたうえ、前部クッション６によって膝裏付近を弾力的に支持することにより、腰部にかかる負担を軽減させると共に腰痛の予防を図るようにしている。
【０００９】
また、上記補助具は予防兼軽減用のコルセットを椅子の背もたれに掛止める際に、使用者の座高に応じて背もたれ高さを調節する調節部を設けている。すなわち、図４に拡大示するように、背もたれ４の両端から下方に伸びる椅子の後脚部３、３に、使用者の座高に応じて背もたれ高さを調節する調節手段１１を設ける。また、椅子１の前寄りに使用者２０の膝裏付近を支持する前部クッション６を設け、フック１０ａを椅子の背もたれ４に掛けて使用者の腰部を安定化させたうえ、前部クッション６によって膝裏付近を弾力的に支持することにより、腰部にかかる負担を軽減させると共に、腰痛の予防と軽減を図ることができる。
【００１０】
図６は背もたれに面ファスナーを固着した移動キャスター付椅子に、使用者が腰部を安定化させた状態で着座している状態の側面図である。
コルセット８の被着時には、コルセット８の腰部保持プレート１０側を使用者の腰の後ろに当て、前側のバンド１５，１５を締めて装着する。ついで、椅子１の左右の横材６、６の前寄りに設けた前部クッション７に、使用者の膝裏付近をあてがいながら腰を落として腰部保持プレート１０のフック１０ａを椅子の手摺５に掛け止めて体重を椅子側に移動させると同時に左右のひじ部を手摺り５、５に添えながら安定化させた状態で着席する。
このようにすると、使用者の荷重の一部は前部クッション７により支持され、残りの大部分は背もたれ４にかけたフック１０ａによって支持されるため．前部クッション７によって膝裏付近を弾力的に支持することにより、腰部にかかる負担を軽減させると共に腰痛の予防に寄与している。図１に示すように、使用者の臀部は椅子に接触しないため、椅子の背もたれ４に掛けたフック１０ａで体重の約７０％が支持され、前部クッション７で体重の約３０％が支持されるため、着席時に負担がかからない。このように、腰部に負担がかからず前後動も軽く制限されるため腰部を安定させた状態で比較的長時間にわたって着席姿勢を維持させることができる。なお、図６中、符号１８は使用者の骨髄である。  
【００１１】
使用者の腰部に装着するコルセット１の背面に面ファスナーの一方のフック状起毛側４またはループ状起毛側７を添着し、椅子５の背もたれ６に面ファスナーの他方のループ状起毛側１６ａまたはフック状起毛側１６ｂを縫着又は貼着し、且つコルセットの縦方向に複数のプラスチック補強片を貼着し、着座時にループ状起毛側またはフック状起毛側との結合により、使用者の腰部を安定化させると共に腰痛の予防を図ることができる。
【００１２】
図５は、コルセットの変形例を示すもので、コルセット前開き部１４の一方にループ状起毛部を備えた面ファスナー要素を設け、他方にフック状起毛部を備えた面ファスナー要素を設けて、コルセットの装着、取外しを容易にしたものである。図示を省略したが、面ファスナーの代わりにフックボタン、スライドファスナーに変更してもよい。
日常生活において、座ることが辛く困難である等、日常生活に支障をきたす、中、重度の腰痛症の人のため、自宅にて腰部治療したり、腰痛が原因で休職中の人達の社会復帰のための椅子として好適なものである。
対象：腰部椎灌間板ヘルニア、坐骨神経痛、ぎっくり腰等の症状の出始め、治療中、リハビリ中の者。例えば食事、排便、排尿、リビングで床に座る、リビングソファー、自動車の運転席の改良オプション、デスクワーク等、日常生活において、座ることが辛く困難である人に好適である。そのほか、病院、公共施設の待合用椅子として、あるは、車椅子との併用が可能である。
【符号の説明】
【００１３】
１  椅子                          ２  前脚  
３  後脚                          ４  背もたれ  
５  手摺                          ６  横材
７  前部クッション                ８  コルセット  
９  補強プレート                  １０  腰部保持プレート  
１０ａ  フック                    １１  背もたれ高さ調節手段
１２  高さ調節ノブ                １３  高さ調節用心金  
１４  前開き部                    １５  バンド
１５ａ  締め具                    １６a、１６b  面ファスナー
１８  脊髄                        ２０  使用者
【図１】
2010158282.tif 000003
【図２】
2010158282.tif 000004
【図３】
2010158282.tif 000005
【図４】
2010158282.tif 000006
【図５】
2010158282.tif 000007
【図６】
2010158282.tif 000008